【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  身体の導管をクランプする外科用器具であって、第１のジョーと、第１のジョーに対向していて、身体導管を第１のジョーとで少なくとも部分的に閉塞するよう第１のジョーに対して動くことができる第２のジョーと、長さと幅をもっている少なくとも１つのインサートとを有し、該インサートの長さは、第１のジョーに沿って延びる方向に向き、前記インサートの幅は、第１のジョーに対して横方向に延びる方向に向き、前記少なくとも１つのインサートは、最初に身体導管に接触する自然な状態と、身体導管を部分的に閉塞するときの圧縮された状態とを呈し、前記外科用器具は、身体導管に対して第１の牽引特性を備えた第１の材料で作られていて、前記自然の状態では第２のジョーに向いた対向面及び側面で構成されるインサートの第１の層と、身体導管に対して、前記第１の層の第１の牽引特性よりも高い第２の牽引特性を備えた第２の材料で作られたインサートの第２の層とを更に有し、前記第２の層は、第１の層の対向面及び第１の層の側面を少なくとも部分的に覆った状態で延び、前記第２の層は、インサートが前記自然状態にあるときに身体導管と第１の接触面積を有し、インサートが前記圧縮状態にあるときに前記圧縮状態にあるインサートの牽引力を増大させるために前記第１の接触面積よりも大きな第２の接触面積を有することを特徴とする外科用器具。
【請求項２】  インサートは、基体を更に有し、インサートの第１の層は、前記基体及びインサートの第２の層と接触状態に設けられていることを特徴とする請求項１記載の外科用器具。
【請求項３】  インサートの第２の層は、布から成ることを特徴とする請求項１記載の外科用器具。
【請求項４】  布は、織られていることを特徴とする請求項３記載の外科用器具。
【請求項５】  布は、非従来方式の織り方で織られていることを特徴とする請求項４記載の外科用器具。
【請求項６】  布は、インサートと身体導管との間の牽引作用を高めるために流体を身体導管から吸収する性質を備えていることを特徴とする請求項３記載の外科用器具。
【請求項７】  布は、管の形態をしており、インサートの少なくとも第１の層は、管内に設けられていることを特徴とする請求項３記載の外科用器具。
【請求項８】  インサートの基体は、管内に設けられていることを特徴とする請求項７記載の外科用器具。
【請求項９】  インサートの第２の層は、多数本の繊維から成り、各繊維は、前記対向面と実質的に平行な関係に設けられた側面を有していることを特徴とする請求項１記載の外科用器具。
【請求項１０】  第２の層は、不織布から成ることを特徴とする請求項９記載の外科用器具。
【請求項１１】  身体の導管を少なくとも部分的に閉塞する外科用鉗子であって、第１のジョーと、第１のジョーに対向していて、身体導管を少なくとも部分的に閉塞するよう第１のジョーに対して動くことができる第２のジョーと、第２のジョーに向いた状態で第１のジョーにより担持されていて、第１の撓み特性及び第１の牽引特性を有する第１の層と、第１の層と並置関係をなして第１のジョーにより担持されていて、第１層の第１の撓み特性よりも低い第２の撓み特性及び第２の牽引特性を有する第２の層とを有し、第２の層の第２の牽引特性は、第１の層の第１の牽引特性よりも大きく、前記外科用鉗子は、第２の層に含まれていて、全体として共通の平面内で配向した多数本の繊維を更に有することを特徴とする外科用鉗子。
【請求項１２】  共通平面は、第１の平面であり、第１のジョー及び第２のジョーは、第２の平面内で配向し、前記ジョーの第２の平面は、全体として前記繊維の第１の平面に垂直であることを特徴とする請求項１１記載の外科用鉗子。
【請求項１３】  多数本の繊維は、布を形成していることを特徴とする請求項１２記載の外科用鉗子。
【請求項１４】  布は、不織布であることを特徴とする請求項１３記載の外科用鉗子。
【請求項１５】  布は、織布であることを特徴とする請求項１３記載の外科用鉗子。
【請求項１６】  多数本の繊維は、第１の共通の向きをもつ繊維の第１の組と、第２の共通の向きをもつ繊維の第２の組とを更に有し、第１の繊維の第１の共通の向きは、第２の繊維の第２の共通の向きとは異なっていることを特徴とする請求項１３記載の外科用鉗子。
【請求項１７】  繊維の第１の組と繊維の第２の組は、繰り返しパターンで交差していることを特徴とする請求項１６記載の外科用鉗子。
【請求項１８】  繊維は、幅を有し、第２の層は、厚さを有し、第２の層の厚さは、繊維の幅の２倍以下であることを特徴とする請求項１１記載の外科用鉗子。
【請求項１９】  第１の層及び第２の層は、第１のジョーに着脱自在に取付け可能なインサートの少なくとも一部を形成していることを特徴とする請求項１１記載の外科用鉗子。
【請求項２０】  身体の導管を少なくとも部分的に閉塞する外科用鉗子であって、第１のジョーと、第１のジョーに対向していて、身体導管を少なくとも部分的に閉塞するよう第１のジョーに対して動くことができる第２のジョーと、第２のジョーに向いた状態で第１のジョーにより担持されていて、第１の撓み特性及び第１の牽引特性を有する第１の層と、第１の層と並置関係をなして第１のジョーにより担持されていて、第１層の第１の撓み特性よりも低い第２の撓み特性及び第２の牽引特性を有する第２の層とを有し、第２の層の第２の牽引特性は、第１の層の第１の牽引特性よりも大きく、前記外科用鉗子は、第２の層に含まれた多数本の繊維を更に有し、該繊維は、細長い形状をしていて、第１の端部と第２の端部との間で長手方向に延びる側面を有し、繊維のうち少なくとも一本の側面は、身体導管に対する第２の層の牽引作用を向上させるために凸凹していることを特徴とする外科用鉗子。
【請求項２１】  前記凸凹の側面は、該側面に粗い生地を与える山部と谷部を有していることを特徴とする請求項２０記載の外科用鉗子。
【請求項２２】  前記凸凹の側面は、繊維の第１の端部と第２の端部との間に少なくとも部分的に延びる突条を有することを特徴とする請求項２０記載の外科用鉗子。
【請求項２３】  繊維は、突条が前記側面の周りに螺旋状になるよう撚られていることを特徴とする請求項２２記載の外科用鉗子。
【請求項２４】  繊維は、中空であることを特徴とする請求項２０記載の外科用鉗子。
【請求項２５】  多数本の繊維は、流体を吸収する性質をもつ布を形成していることを特徴とする請求項２０記載の外科用鉗子。
【請求項２６】  繊維のうち少なくとも一本は、流体を吸収する性質をもっていることを特徴とする請求項２５記載の外科用鉗子。
【請求項２７】  第２の層は、鉗子が最初に身体導管に接触したときに身体導管と第１の接触面積を有し、鉗子が身体導管を少なくとも部分的に閉塞したときに前記第１の接触面積よりも大きな第２の接触面積を有することを特徴とする請求項２０記載の外科用鉗子。
【請求項２８】  身体組織で作られた導管を少なくとも部分的に閉塞する外科用鉗子であって、第１のジョーと、第１のジョーに対向していて、導管を閉塞するよう第１のジョーに対して動くことができる第２のジョーと、第１のジョーで担持されていて、少なくとも一部が組織接触面で構成された外側布とから成ることを特徴とする外科用鉗子。
【請求項２９】  前記布を形成していて、全体として平らな配向状態で設けられた多数本の繊維を更に有することを特徴とする請求項２８記載の外科用鉗子。
【請求項３０】  繊維は、ランダムな配向状態で配列されていることを特徴とする請求項２９記載の外科用鉗子。
【請求項３１】  繊維は、織布を形成していることを特徴とする請求項２９記載の外科用鉗子。
【請求項３２】  織布は、従来方式の織り方で織られたものであることを特徴とする請求項３１記載の外科用鉗子。
【請求項３３】  織布は、立体的な織り方で織られたものであることを特徴とする請求項３１記載の外科用鉗子。
【請求項３４】  織布は、２本以上の繊維が前記織布中の同一の経路を辿る状態で織られたものであることを特徴とする請求項３１記載の外科用鉗子。
【請求項３５】  身体の導管を閉塞する外科用クランプに用いられるジョーインサートであって、
全体として剛性の基部を有し、
前記基部によって支持されていて、吸収特性を備えた第１の材料層を有し、
前記第１の層を少なくとも部分的に覆っていて、非吸収特性を備える第２の材料で作られた第２の層を有し、前記第２の層は、前記身体導管が水分で覆われたときに第１の牽引特性を示し、前記身体導管が乾燥形態にあるときに第２の牽引特性を示し、
第２の層は、前記水分の少なくとも何割かが前記第２の層を通過できると共に前記第１の層によって吸収できるよう構成されており、それにより前記身体導管に乾燥した形態を与えて前記第１の層に一層高い牽引特性を与えることを特徴とするジョーインサート。
【請求項３６】  前記第２の層は、繊維で作られていることを特徴とする請求項３５記載のジョーインサート。
【請求項３７】  前記繊維は、織られていることを特徴とする請求項３６記載のジョーインサート。
【請求項３８】  前記繊維は、織られてはいないことを特徴とする請求項３６記載のジョーインサート。
【請求項３９】  前記第１の層は、連続気泡フォームを含むことを特徴とする請求項３５記載のジョーインサート。